(57)【要約】  限られた数のアンテナを有するＵＥは、複数の無線アクセス技術（ＲＡＴ）をサポートすることができる。幾つかの例においては、ＵＥは、ワイヤレスローカルエリアネットワーク（ＷＬＡＮ）無線アクセス技術（ＲＡＴ）又はセルラーＲＡＴによる使用のために共有アンテナを構成することができる。ＵＥは、ＷＬＡＮ  ＲＡＴ及び／又はセルラーＲＡＴの動作状態に少なくとも部分的に基づいてセルラーＲＡＴがアクティブであるときにＷＬＡＮ  ＲＡＴに共有アンテナを割り当てることもできる。
2016516342.tif 000002
【特許請求の範囲】
【請求項１】
無線通信方法であって、
ワイヤレスローカルエリアネットワーク（ＷＬＡＮ）無線アクセス技術（ＲＡＴ）又はセルラーＲＡＴによる使用のために共有アンテナを構成することと、
前記ＷＬＡＮ  ＲＡＴ及び／又は前記セルラーＲＡＴの動作状態に少なくとも部分的に基づいて前記セルラーＲＡＴがアクティブであるときに前記ＷＬＡＮ  ＲＡＴに前記共有チャネルを割り当てることと、を備える、無線通信方法。
【請求項２】
前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記共有アンテナを割り当てることをさらに備える請求項１に記載の方法。
【請求項３】
ＵＥのアンテナ能力の変化を識別する前記ＵＥからの表示に少なくとも部分的に基づいて前記ＷＬＡＮ通信のデータレートを調整することをさらに備える請求項１に記載の方法。
【請求項４】
前記表示は、前記ＵＥからのチャネル状態情報又は管理フレーム情報のうちの少なくとも１つに基づく請求項３に記載の方法。
【請求項５】
無線通信方法であって、
ワイヤレスローカルエリアネットワーク（ＷＬＡＮ）無線アクセス技術（ＲＡＴ）又はセルラーＲＡＴによる使用のために共有アンテナを構成することと、
単一の受信チェーンを有するＵＥの専用ＷＬＡＮアンテナと前記共有アンテナの強度を比較することと、
前記比較に少なくとも部分的に基づいてＷＬＡＮ通信のために前記共有チャネル又は前記専用ＷＬＡＮアンテナを割り当てることと、を備える、無線通信方法。
【請求項６】
ＵＥのアンテナ能力の変化を識別する前記ＵＥからの表示に少なくとも部分的に基づいて前記ＷＬＡＮ通信のデータレートを調整することをさらに備える請求項５に記載の方法。
【請求項７】
前記表示は、前記ＵＥからのチャネル状態情報又は管理フレーム情報のうちの少なくとも１つに基づく請求項６に記載の方法。
【請求項８】
無線通信のための装置であって、
ワイヤレスローカルエリアネットワーク（ＷＬＡＮ）無線アクセス技術（ＲＡＴ）又はセルラーＲＡＴによる使用のために共有アンテナを構成するための手段と、
前記ＷＬＡＮ  ＲＡＴ及び／又は前記セルラーＲＡＴの動作状態に少なくとも部分的に基づいて前記セルラーＲＡＴがアクティブであるときに前記ＷＬＡＮ  ＲＡＴに前記共有チャネルを割り当てるための手段と、を備える、無線通信のための装置。
【請求項９】
前記割り当てるための手段は、前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記共有アンテナを割り当てるための手段をさらに備える請求項８に記載の装置。
【請求項１０】
ＵＥのアンテナ能力の変化を識別する前記ＵＥからの表示に少なくとも部分的に基づいて前記ＷＬＡＮ通信のデータレートを調整するための手段をさらに備える請求項８に記載の装置。
【請求項１１】
前記表示は、前記ＵＥからのチャネル状態情報又は管理フレーム情報のうちの少なくとも１つに基づく請求項１０に記載の装置。
【請求項１２】
無線通信のための装置であって、
ワイヤレスローカルエリアネットワーク（ＷＬＡＮ）無線アクセス技術（ＲＡＴ）又はセルラーＲＡＴによる使用のために共有アンテナを構成するための手段と、
単一の受信チェーンを有するＵＥの専用ＷＬＡＮアンテナと前記共有アンテナの強度を比較するための手段と、
前記比較するための手段による比較に少なくとも部分的に基づいてＷＬＡＮ通信のために前記共有チャネル又は前記専用ＷＬＡＮアンテナを割り当てるための手段と、を備える、無線通信のための装置。
【請求項１３】
ＵＥのアンテナ能力の変化を識別する前記ＵＥからの表示に少なくとも部分的に基づいて前記ＷＬＡＮ通信のデータレートを調整するための手段をさらに備える請求項１２に記載の装置。
【請求項１４】
前記表示は、前記ＵＥからのチャネル状態情報及び／又は管理フレーム情報に基づく請求項１３に記載の装置。
【請求項１５】
無線通信のための装置であって、
メモリと、
前記メモリに結合され、
ワイヤレスローカルエリアネットワーク（ＷＬＡＮ）無線アクセス技術（ＲＡＴ）又はセルラーＲＡＴによる使用のために共有アンテナを構成し、及び
前記ＷＬＡＮ  ＲＡＴ及び／又は前記セルラーＲＡＴの動作状態に少なくとも部分的に基づいて前記セルラーＲＡＴがアクティブであるときに前記ＷＬＡＮ  ＲＡＴに前記共有チャネルを割り当てるように構成された少なくとも１つのプロセッサと、を備える、無線通信のための装置。
【請求項１６】
前記少なくとも１つのプロセッサは、前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記共有アンテナを割り当てるようにさらに構成される請求項１５に記載の装置。
【請求項１７】
前記少なくとも１つのプロセッサは、ＵＥのアンテナ能力の変化を識別する前記ＵＥからの表示に少なくとも部分的に基づいて前記ＷＬＡＮ通信のデータレートを調整するようにさらに構成される請求項１５に記載の装置。
【請求項１８】
前記表示は、前記ＵＥからのチャネル状態情報又は管理フレーム情報のうちの少なくとも１つに基づく請求項１７に記載の装置。
【請求項１９】
無線通信のための装置であって、
メモリと、
前記メモリに結合され、
ワイヤレスローカルエリアネットワーク（ＷＬＡＮ）無線アクセス技術（ＲＡＴ）又はセルラーＲＡＴによる使用のために共有アンテナを構成し、
単一の受信チェーンを有するＵＥの専用ＷＬＡＮアンテナと前記共有アンテナの強度を比較し、及び
プロセッサによる比較に少なくとも部分的に基づいてＷＬＡＮ通信のために前記共有チャネル又は前記専用ＷＬＡＮアンテナを割り当てるように構成された少なくとも１つのプロセッサと、を備える、無線通信のための装置。
【請求項２０】
前記少なくとも１つのプロセッサは、ＵＥのアンテナ能力の変化を識別する前記ＵＥからの表示に少なくとも部分的に基づいて前記ＷＬＡＮ通信のデータレートを調整するようにさらに構成される請求項１９に記載の装置。
【請求項２１】
前記表示は、前記ＵＥからのチャネル状態情報及び／又は管理フレーム情報に基づく請求項２０に記載の装置。
【請求項２２】
無線ネットワークにおける無線通信のためのコンピュータプログラム製品であって、
非一時的なプログラムコードが記録されているコンピュータによって読み取り可能な媒体であって、前記プログラムコードは、
ワイヤレスローカルエリアネットワーク（ＷＬＡＮ）無線アクセス技術（ＲＡＴ）又はセルラーＲＡＴによる使用のために共有アンテナを構成するためのプログラムコードと、
前記ＷＬＡＮ  ＲＡＴ及び／又は前記セルラーＲＡＴの動作状態に少なくとも部分的に基づいて前記セルラーＲＡＴがアクティブであるときに前記ＷＬＡＮ  ＲＡＴに前記共有チャネルを割り当てるためのプログラムコードと、を備える、コンピュータによって読み取り可能な媒体、を備える、コンピュータプログラム製品。
【請求項２３】
前記プログラムコードは、前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記共有アンテナを割り当てるためのコードをさらに備える請求項２２に記載のコンピュータプログラム製品。
【請求項２４】
前記プログラムコードは、ＵＥのアンテナ能力の変化を識別する前記ＵＥからの表示に少なくとも部分的に基づいて前記ＷＬＡＮ通信のデータレートを調整するためのコードをさらに備える請求項２２に記載のコンピュータプログラム製品。
【請求項２５】
前記表示は、前記ＵＥからのチャネル状態情報又は管理フレーム情報のうちの少なくとも１つに基づく請求項２４に記載のコンピュータプログラム製品。
【請求項２６】
無線ネットワークにおける無線通信のためのコンピュータプログラム製品であって、
非一時的なプログラムコードが記録されているコンピュータによって読み取り可能な媒体であって、前記プログラムコードは、
ワイヤレスローカルエリアネットワーク（ＷＬＡＮ）無線アクセス技術（ＲＡＴ）又はセルラーＲＡＴによる使用のために共有アンテナを構成するためのプログラムコードと、
単一の受信チェーンを有するＵＥの専用ＷＬＡＮアンテナと前記共有アンテナの強度を比較するためのプログラムコードと、
前記比較に少なくとも部分的に基づいてＷＬＡＮ通信のために前記共有アンテナ又は前記専用ＷＬＡＮアンテナを割り当てるためのプログラムコードと、を備えるコンピュータによって読み取り可能な媒体、を備える、コンピュータプログラム製品。
【請求項２７】
前記プログラムコードは、ＵＥのアンテナ能力の変化を識別する前記ＵＥからの表示に少なくとも部分的に基づいて前記ＷＬＡＮ通信のデータレートを調整するためのコードをさらに備える請求項２６に記載のコンピュータプログラム製品。
【請求項２８】
前記表示は、前記ＵＥからのチャネル状態情報及び／又は管理フレーム情報に基づく請求項２７に記載のコンピュータプログラム製品。
【発明の詳細な説明】
【技術分野】
【０００１】
［０００１］本開示の態様は、概して、通信システムに関するものであり、具体的には、共有アンテナを用いたワイヤレスローカルエリアネットワーク（ＷＬＡＮ）ダイバーシティ／多入力多出力（ＭＩＭＯ）技術に関するものである。
【背景技術】
【０００２】
［０００２］様々な通信サービス、例えば、テレフォニー、映像、データ、メッセージング、ブロードキャスト、等、を提供することを目的として無線通信ネットワークが広範囲にわたって配備されている。該ネットワークは、通常は多元接続ネットワークであり、利用可能なネットワークリソースを共有することによって複数のユーザに関する通信をサポートする。該ネットワークの１つの例は、ユニバーサル地上無線アクセスネットワーク（ＵＴＲＡＮ）である。ＵＴＲＡＮは、第三世代パートナーシッププロジェクト（３ＧＰＰ）によってサポートされる第三世代（３Ｇ）携帯電話技術であるユニバーサル移動通信システム（ＵＭＴＳ）の一部として定義された無線アクセスネットワーク（ＲＡＮ）である。ＵＭＴＳは、グローバル移動通信システム（ＧＳＭ（登録商標））の後継であり、現在は、様々なエアインタフェース規格、例えば、ワイドバンド−符号分割多元接続（Ｗ−ＣＤＭＡ）、時分割−符号分割多元接続（ＴＤ−ＣＤＭＡ）、及び時分割−同期符号分割多元接続（ＴＤ−ＳＣＤＭＡ）をサポートしている。例えば、中国では、既存のＧＳＭインフラストラクチャをコアネットワークとし、ＵＴＲＡＮアーキテクチャにおける基礎になるエアインタフェースとしてＴＤ−ＳＣＤＭＡを追究中である。ＵＭＴＳは、より高いデータ転送速度及び容量を関連するＵＭＴＳネットワークに提供する拡張型３Ｇデータ通信プロトコル、例えば、高速パケットアクセス（ＨＳＰＡ）、もサポートする。ＨＳＰＡは、既存のワイドバンドプロトコルの性能を拡張及び向上させる２つのモバイルテレフォニープロトコル、高速ダウンリンクパケットアクセス（ＨＳＤＰＡ）及び高速アップリンクパケットアクセス（ＨＳＵＰＡ）の集合体である。
【０００３】
［０００３］モバイルブロードキャストアクセスに関する要求が増大し続けているのに応じて、増大中のモバイルブロードキャストアクセスに関する要求を満たすだけでなく、モバイル通信に関するユーザの経験を前進及び向上させることを目的としてＵＭＴＳ技術を進歩させるための研究開発が継続されている。
【発明の概要】
【０００４】
［０００４］本開示の１つの態様により、無線通信のための方法は、ワイヤレスローカルエリアネットワーク（ＷＬＡＮ）無線アクセス技術（ＲＡＴ）又はセルラーＲＡＴによる使用のために共有アンテナを構成することを含む。その方法は、ＷＬＡＮ  ＲＡＴ及び／又はセルラーＲＡＴの動作状態に少なくとも部分的に基づいてセルラーＲＡＴがアクティブであるときにＷＬＡＮ  ＲＡＴに共有アンテナを割り当てることも含む。
【０００５】
［０００５］本開示の１つの態様により、無線通信のための方法は、ワイヤレスローカルエリアネットワーク（ＷＬＡＮ）無線アクセス技術（ＲＡＴ）又はセルラーＲＡＴによる使用のために共有アンテナを構成することを含む。その方法は、単一の受信チェーンを有するＵＥの専用ＷＬＡＮアンテナと共有アンテナの強度を比較することを含むこともできる。その方法は、その比較に少なくとも部分的に基づいてＷＬＡＮ通信のために共有アンテナ又は専用ＷＬＡＮアンテナを割り当てることをさらに含むことができる。
【０００６】
［０００６］本開示の他の態様により、無線通信のための装置は、ワイヤレスローカルエリアネットワーク（ＷＬＡＮ）無線アクセス技術（ＲＡＴ）又はセルラーＲＡＴによる使用のために共有アンテナを構成するための手段を含む。その装置は、ＷＬＡＮ  ＲＡＴ及び／又はセルラーＲＡＴの動作状態に少なくとも部分的に基づいてセルラーＲＡＴがアクティブであるときにＷＬＡＮ  ＲＡＴに共有アンテナを割り当てるための手段も含むことができる。
【０００７】
［０００７］本開示の１つの態様により、無線通信のための装置は、ワイヤレスローカルエリアネットワーク（ＷＬＡＮ）無線アクセス技術（ＲＡＴ）又はセルラーＲＡＴによる使用のために共有アンテナを構成するための手段を含む。その装置は、単一の受信チェーンを有するＵＥの専用ＷＬＡＮアンテナと共有アンテナの強度を比較するための手段を含むこともできる。その装置は、比較するための手段による比較に少なくとも部分的に基づいてＷＬＡＮ通信のために共有アンテナ又は専用ＷＬＡＮアンテナを割り当てるための手段をさらに含むことができる。
【０００８】
［０００８］本開示の１つの態様により、無線ネットワークにおける無線通信のためのコンピュータプログラム製品は、非一時的なプログラムコードが記録されているコンピュータによって読み取り可能な媒体を含む。そのプログラムコードは、ワイヤレスローカルエリアネットワーク（ＷＬＡＮ）無線アクセス技術（ＲＡＴ）又はセルラーＲＡＴによる使用のために共有アンテナを構成するためのプログラムコードを含む。そのプログラムコードは、ＷＬＡＮ  ＲＡＴ及び／又はセルラーＲＡＴの動作状態に少なくとも部分的に基づいてセルラーＲＡＴがアクティブであるときにＷＬＡＮ  ＲＡＴに共有アンテナを割り当てるためのプログラムコードも含む。
【０００９】
［０００９］本開示の１つの態様により、無線ネットワークにおける無線通信のためのコンピュータプログラム製品は、非一時的なプログラムコードが記録されているコンピュータによって読み取り可能な媒体を含む。そのプログラムコードは、ワイヤレスローカルエリアネットワーク（ＷＬＡＮ）無線アクセス技術（ＲＡＴ）又はセルラーＲＡＴによる使用のために共有アンテナを構成するためのプログラムコードを含む。そのプログラムコードは、単一の受信チェーンを有するＵＥの専用ＷＬＡＮアンテナと共有アンテナの強度を比較するためのプログラムコードも含む。そのプログラムコードは、その比較に少なくとも部分的に基づいてＷＬＡＮ通信のために共有アンテナ又は専用ＷＬＡＮアンテナを割り当てるためのプログラムコードをさらに含む。
【００１０】
［００１０］本開示の１つの態様により、無線通信のための装置は、メモリと、メモリに結合されたプロセッサと、を含む。そのプロセッサは、ワイヤレスローカルエリアネットワーク（ＷＬＡＮ）無線アクセス技術（ＲＡＴ）又はセルラーＲＡＴによる使用のために共有アンテナを構成するように構成される。そのプロセッサは、ＷＬＡＮ  ＲＡＴ及び／又はセルラーＲＡＴの動作状態に少なくとも部分的に基づいてセルラーＲＡＴがアクティブであるときにＷＬＡＮ  ＲＡＴに共有アンテナを割り当てるようにさらに構成される。
【００１１】
［００１１］本開示の１つの態様により、無線通信のための装置は、メモリと、メモリに結合されたプロセッサと、を含む。そのプロセッサは、ワイヤレスローカルエリアネットワーク（ＷＬＡＮ）無線アクセス技術（ＲＡＴ）又はセルラーＲＡＴによる使用のために共有アンテナを構成するように構成される。そのプロセッサは、単一の受信チェーンを有するＵＥの専用ＷＬＡＮアンテナと共有アンテナの強度を比較するようにさらに構成される。そのプロセッサは、そのプロセッサによる比較に少なくとも部分的に基づいてＷＬＡＮ通信のために共有アンテナ又は専用ＷＬＡＮアンテナを割り当てるようにさらに構成される。
【００１２】
［００１２］本開示の追加の特徴及び利点が以下において説明される。本開示は、本開示の同じ目的を実行するためにその他の構造を修正又は設計するための基礎として簡単に利用できることが当業者によって評価されるべきである。該同等の構造は、添付される請求項において示される本開示の教示から逸脱するものでないことも当業者によって自覚されるべきである。新規の特徴は、さらなる目的及び利点とともに、その構成及び動作方法の両方に関して、本開示の特徴を表すものであることが確信されており、添付される図と関係させて検討したときに以下の説明からより良く理解されるであろう。しかしながら、それらの図の各々は、例示及び説明のみを目的として提供されており、本開示の限界に関する定義であることは意図されないことが明示で理解されるべきである。
【図面の簡単な説明】
【００１３】
［００１３］本開示の特徴、性質、及び利点は、同様の参照文字が全体渡って対応するものを識別する図面と関係させて検討されたときに以下の発明を実施するための形態からより明確になるであろう。
【図１】［００１４］多元接続無線通信システムの例である。
【図２】［００１５］ＭＩＭＯシステムにおける送信機システム及び受信機システムの１つの態様のブロック図である。
【図３】［００１６］態様を実装することができる無線デバイスを描いた図である。
【図４】［００１７］アンテナを動的に共有することが可能な無線デバイスの高位ブロック図である。
【図５】［００１８］図４の無線デバイスの一態様のブロック図である。
【図６】［００１９］幾つかの態様によるアンテナを動的に共有する無線デバイスの典型的な動作を描いたフローチャートである。
【図７】［００２０］幾つかの態様によるアンテナを動的に共有する無線デバイスの他の典型的な動作を描いたフローチャートである。
【図８】［００２１］動的アンテナ共有システムを採用する装置に関するハードウェア実装の例を示した図である。
【発明を実施するための形態】
【００１４】
以下においては、ワイヤレスローカルエリアネットワーク（ＷＬＡＮ）信号、及びロングタームエボリューション（ＬＴＥ）信号を送信及び受信することが可能なモバイル通信デバイスにおいてアンテナを動的に共有することに関して本開示の態様が説明される。しかしながら、それらの態様は、その他の様々な無線規格又はプロトコル、例えば、Ｂｌｕｅｔｏｏｔｈ（登録商標）、全地球測位システム、１ｘ無線送信技術（１Ｘ）、エボリューション・データ・オプティマイズド（Ｅｖｏｌｕｔｉｏｎ  Ｄａｔａ  Ｏｐｔｉｍｉｚｅｄ（ＥＶ−ＤＯ）又はその他のあらゆるセルラー技術、の信号を送信又は受信するために使用されるアンテナを動的に共有するためにも同様に適用可能である。以下の説明では、本開示に関する徹底的な理解を提供することを目的として数多くの具体的な詳細、例えば、具体的なコンポーネント、回路、ソフトウェア及びプロセス、が示される。さらに、説明を目的として、本態様に関する徹底的な理解を提供するために特定の用語が示される。しかしながら、これらの具体的な詳細は、本態様を実践する上では要求されないことがあることが当業者にとって明らかになるであろう。その他の例においては、本開示を曖昧にすることを回避するためによく知られた回路及びデバイスはブロック図形で示される。用語“結合された”は、ここにおいて使用される場合は、直接接続されること、１つ以上の介在するコンポーネント又は回路を通じて接続されること及び／又は無線で接続されることを意味する。ここにおいて説明される様々なバスを通じて提供される信号はいずれも、その他の信号と時間多重化すること及び１つ以上の共通バスを通じて提供することができる。さらに、回路素子又はソフトウェアブロックの間での相互接続は、バスとして又は単一の信号ラインとして示すことができる。それらのバスの各々は、代替として、単一の信号ラインであることができ、単一の信号ラインの各々は、代替として、バスであることができ、単一のライン又はバスは、コンポーネントの間での通信のための無数の物理的又は論理的メカニズムのうちの１つ以上を表すことができる。
【００１５】
［００２３］図１を参照し、一態様による多元接続無線通信システムが例示される。エボルブドノードＢ１００（ｅＮＢ）は、リソース及びパラメータを割り当てる、ユーザ装置からの要求を許可する／却下する、等によってＬＴＥ通信を管理するための処理リソース及びメモリリソースを有するコンピュータ１１５を含む。ｅＮＢ１００は、複数のアンテナグループも有し、１つのグループは、アンテナ１０４とアンテナ１０６とを含み、他のグループは、アンテナ１０８とアンテナ１１０とを含み、さらなるグループは、アンテナ１１２とアンテナ１１４とを含む。図１では、各アンテナグループに関して２本のアンテナのみが示されているが、各アンテナグループに関してそれよりも多い又は少ないアンテナを利用することができる。ユーザ装置（ＵＥ）１１６（アクセス端末（ＡＴ）とも呼ばれる）は、アンテナ１１２及び１１４と通信状態にあり、アンテナ１１２及び１１４は、アップリンク（ＵＬ）１８８を通じてＵＥ１１６に情報を送信する。ＵＥ１２２は、アンテナ１０６及び１０８と通信状態にあり、アンテナ１０６及び１０８は、ダウンリンク（ＤＬ）１２６を通じてＵＥ１２２に情報を送信し、アップリンク１２４を通じてＥＵ１２２から情報を受信する。周波数分割複信（ＦＤＤ）システムでは、通信リンク１１８、１２０、１２４及び１２６は、異なる周波数を通信のために使用することができる。例えば、ダウンリンク１２０は、アップリンク１１８によって使用されるのと異なる周波数を使用することができる。
【００１６】
［００２４］アンテナの各グループ及び／又はそれらが通信するように設計されているエリアは、ｅＮＢのセクタとしばしば呼ばれる。本態様においては、各々のアンテナグループは、ｅＮＢ１００によって網羅されるエリアのセクタ内のＵＥに通信するように設計される。
【００１７】
［００２５］ダウンリンク１２０及び１２６を通じての通信では、ｅＮＢ１００の送信アンテナは、異なるＵＥ１１６及び１２２に関するアップリンクの信号対雑音比を向上させるためにビーム形成を利用する。さらに、カバレッジ全体にランダムに散在するＵＥに送信するためにビーム形成を使用するｅＮＢは、単一のアンテナを通じてすべてのＵＥに送信するＵＥよりも少ない干渉を近隣セル内のＵＥに対して生じさせる。
【００１８】
［００２６］ｅＮＢは、端末と通信するために使用される固定局であることができ、アクセスポイント、基地局、又はその他の何らかの用語で呼ぶこともできる。ＵＥは、アクセス端末、無線通信デバイス、端末、又はその他の何らかの用語で呼ぶこともできる。
【００１９】
［００２７］図２は、ＭＩＭＯシステム２００における送信機システム２１０（ｅＮＢとも呼ばれる）及び受信機システム２５０（ＵＥとも呼ばれる）の態様のブロック図である。幾つかの例においては、ＵＥ及びｅＮＢの両方とも、送信機システムと受信機システムとを含むトランシーバを各々有する。送信機システム２１０においては、幾つかのデータストリームに関するトラフィックデータがデータソース２１２から送信（ＴＸ）データプロセッサ２１４に提供される。
【００２０】
［００２８］ＭＩＭＯシステムは、複数（ＮＴ）の送信アンテナ及び複数（ＮＲ）の受信アンテナをデータ送信のために採用する。ＮＴの送信アンテナ及びＮＲの受信アンテナによって形成されるＭＩＭＯチャネルは、ＮＳの独立したチャネルに分解することができ、それらは空間チャネルとも呼ばれ、ここで、ＮＳ≦ｍｉｎ｛ＮＴ，ＮＲ｝である。ＮＳの独立したチャネルの各々は、１つの次元に対応する。ＭＩＭＯシステムは、複数の送信アンテナ及び受信アンテナによって生成される追加の次元が利用される場合に向上された性能（例えば、より高いスループット及び／又はより高い信頼性）を提供することができる。
【００２１】
［００２９］ＭＩＭＯシステムは、時分割複信（ＴＤＤ）システム及び周波数分割複信（ＦＤＤ）システムをサポートする。ＴＤＤシステムにおいては、アップリンク送信及びダウンリンク送信は、同じ周波数領域にあり、このため、相互性の原則がアップリンクチャネルからのダウンリンクチャネルの推定を可能にする。これは、ｅＮＢにおいて複数のアンテナが利用可能であるときにｅＮＢがダウンリンクで送信ビーム形成利得を抽出するのを可能にする。
【００２２】
［００３０］一態様においては、各データストリームは、各々の送信アンテナを通じて送信される。ＴＸデータプロセッサ２１４は、コーディングされたデータを提供するために各データストリームに関して選択された特定のコーディング方式に基づいてそのデータストリームに関するトラフィックデータをフォーマット化、コーディング、及びインターリービングする。
【００２３】
［００３１］各データストリームに関するコーディングされたデータは、ＯＦＤＭ技法を用いてパイロットデータと多重化することができる。パイロットデータは、既知の方法で処理される既知のデータパターンであり、チャネル応答を推定するために受信機システムにおいて使用することができる。次に、各データストリームに関する多重化されたパイロットデータ及びコーディングされたデータが、変調シンボルを提供するためにそのデータストリームに関して選択された特定の変調方式（例えば、ＢＰＳＫ、ＱＳＰＫ、Ｍ−ＰＳＫ、又はＭ−ＱＡＭ）に基づいて変調される（シンボルマッピングされる）。各データストリームに関するデータレート、コーディング、及び変調は、メモリ２３２とともに動作するプロセッサ２３０によって実行される命令によって決定することができる。
【００２４】
［００３２］次に、各々のデータストリームに関する変調シンボルがＴＸ  ＭＩＭＯプロセッサ２２０に提供され、それは、（例えば、ＯＦＤＭに関して）変調シンボルをさらに処理することができる。ＴＸ  ＭＩＭＯプロセッサ２２０は、ＮＴの変調シンボルストリームをＮＴの送信機（ＴＭＴＲ）２２２ａ乃至２２２ｔに提供する。幾つかの態様においては、ＴＸ  ＭＩＭＯプロセッサ２２０は、データストリームのシンボルに及びシンボルを送信中であるアンテナにビーム形成重みを適用する。
【００２５】
［００３３］各送信機２２２は、１つ以上のアナログ信号を提供するために各々のシンボルストリームを受信して処理し、ＭＩＭＯチャネルを通じて送信に適する変調された信号を提供するためにアナログ信号をさらにコンディショニング（増幅、フィルタリング、及びアップコンバージョン）する。次に、送信機２２２ａ乃至２２２ｔからのＮＴの変調された信号がＮＴのアンテナ２２４ａ乃至２２４ｔからそれぞれ送信される。
【００２６】
［００３４］受信機システム２５０において、送信された変調された信号がＮＲのアンテナ２５２ａ乃至２５２ｒによって受信され、各アンテナ２５２からの受信された信号は、各々の受信機（ＲＣＶＲ）２５４ａ乃至２５４ｒに提供される。各受信機２５４は、各々の受信された信号をコンディショニング（例えば、フィルタリング、増幅、及びダウンコンバージョン）し、コンディショニングされた信号をデジタル化してサンプルを提供し、それらのサンプルをさらに処理して対応する“受信された”シンボルストリームを提供する。
【００２７】
［００３５］次に、ＲＸデータプロセッサ２６０が、ＮＲの受信されたシンボルストリームをＮＲの受信機２５４から受信し、ＮＲの“検出された”シンボルストリームを提供するために特定の受信機処理技法に基づいて処理する。次に、ＲＸデータプロセッサ２６０は、各々の検出されたシンボルストリームを復調、デインターリービング、及び復号してそのデータストリームに関するトラフィックデータを復元する。ＲＸデータプロセッサ２６０による処理は、送信機システム２１０におけるＴＸ  ＭＩＭＯプロセッサ２２０及びＴＸデータプロセッサ２１４によって行われる処理を補完するものである。
【００２８】
［００３６］（メモリ２７２とともに動作する）プロセッサ２７０は、いずれのプリコーディング行列を使用すべきかを定期的に決定する（後述）。プロセッサ２７０は、行列インデックス部及びランク値部を有するアップリンクメッセージを形成する。
【００２９】
［００３７］アップリンクメッセージは、通信リンク及び／又は受信されたデータストリームに関する様々なタイプの情報を含むことができる。アップリンクメッセージは、幾つかのデータストリームに関するトラフィックデータもデータソース２３６から受信するＴＸデータプロセッサ２３８によって処理され、変調器２８０によって変調され、送信機２５４ａ乃至２５４ｒによってコンディショニングされ、送信機システム２１０に戻される。
【００３０】
［００３８］送信機システム２１０において、受信機システム２５０からの変調された信号は、受信機システム２５０によって送信されたアップリンクメッセージを抽出するために、アンテナ２２４によって受信され、受信機２２２によってコンディショニングされ、復調器２４０によって復調され、ＲＸデータプロセッサ２４２によって処理される。次に、プロセッサ２３０は、ビーム形成重みを決定するためにいずれのプリコーディング行列を使用すべきかを決定し、次に、抽出されたメッセージを処理する。
【００３１】
共有アンテナを用いたＷＬＡＮダイバーシティ／ＭＩＭＯ
［００３９］多くの無線デバイスは、ワイヤレスローカルエリアネットワーク（ＷＬＡＮ）信号、Ｂｌｕｅｔｏｏｔｈ（ＢＴ）信号、及び／又はセルラー信号を用いてその他のデバイスと無線通信することができる。例えば、多くのラップトップ、ネットブックコンピュータ、及びタブレットデバイスは、ネットワーク、例えば、インターネット及び／又はプライベートネットワーク、に無線接続するためにＷＬＡＮ信号（共通してＷｉ−Ｆｉ信号とも呼ばれる）を使用し、ローカルのＢＴによってイネーブルにされるデバイス、例えば、ヘッドセット、プリンタ、スキャナ、等、と通信するためにＢｌｕｅｔｏｏｔｈ信号を使用する。Ｗｉ−Ｆｉ通信は、ＩＥＥＥ８０２．１１規格系統に準拠し、Ｂｌｕｅｔｏｏｔｈ通信は、ＩＥＥＥ８０２．１５規格系統に準拠する。Ｗｉ−Ｆｉ信号及びＢｌｕｅｔｏｏｔｈ信号は、典型的には、ＩＳＭ帯域（例えば、２．４乃至２．４８ＧＨｚ）で動作する。さらに、現代のモバイル通信デバイス（例えば、タブレットデバイス及び携帯電話）は、典型的には２．５ＧＨｚの範囲で動作するセルラープロトコル、例えば、ロングタームエボリューション（“ＬＴＥ”）プロトコル、を用いて無線通信することも可能である。
【００３２】
［００４０］アンテナ構成及び／又は受信機／送信機構成の様々な組み合わせとのマルチモード通信を容易にするために複数のアンテナ及び／又は受信機／送信機を提供することができる。各無線技術は、１つ以上のアンテナを介して信号を送信又は受信することができる。無線デバイス（例えば、ユーザ装置）におけるアンテナ数は、スペース／コスト上の制約及び結合上の課題に起因して制限されることがある。その結果、希望される性能を達成することができるように限られたアンテナ数を有する無線デバイスにおいてすべての無線技術をサポートすることが望ましい。
【００３３】
［００４１］図３は、異なるプロトコルを用いて無線信号を送信及び受信するためにアンテナを動的に共有するように構成することができる無線デバイス３００、例えば、ラップトップ及び携帯電話、を示す。Ｗｉ−Ｆｉ及びＢｌｕｅｔｏｏｔｈの両方のシグナリング能力を有することに加えて、無線デバイス３００は、例えば、ロングタームエボリューション（ＬＴＥ）及び／又はその他の適切なセルラー通信プロトコルを用いて、セルラーデータネットワークを通じて無線で通信することもできる。示されていないが、無線デバイス３００は、その他のデバイス、例えば、タブレットコンピュータ、デスクトップコンピュータ、ＰＤＡ、等を含むことができる。幾つかの態様に関して、無線デバイス３００は、インターネット、ＬＡＮ、ＷＬＡＮ、及び／又はＶＰＮとデータをやり取りするためにＷｉ−Ｆｉ信号を使用することができる。さらに、無線デバイス３００は、ローカルのＢｌｕｅｔｏｏｔｈによってイネーブルにされるデバイス、例えば、ヘッドセット、プリンタ、スキャナ、とデータをやり取りするためにＢｌｕｅｔｏｏｔｈ信号を使用することができ、及び、その他の無線デバイスとの携帯電話通信を実装するためにＬＴＥ信号を使用することができる。
【００３４】
［００４２］図４は、コアロジック４１０、トランシーバ制御ロジック４２０、及び２本以上のアンテナ４３０及び４４０を含むことが示されている無線デバイス３００の高位機能ブロック図である。コアロジック４１０は、よく知られた要素、例えば、プロセッサ及びメモリ素子、を含むことができ、無線デバイス３００に関する一般的なデータ生成機能及び処理機能を実行する。トランシーバ制御ロジック４２０は、ＷＬＡＮ制御回路４２１と、Ｂｌｕｅｔｏｏｔｈ制御回路４２２と、ＬＴＥ制御回路４２３と、を含み、コアロジック４１０及び外部のアンテナ４３０及び４４０に結合される。ＷＬＡＮ制御回路４２１は、デバイス３００に関するＷｉ−Ｆｉ信号の送信及び受信を制御するように構成される。Ｂｌｕｅｔｏｏｔｈ制御回路４２２は、デバイス３００に関するＢｌｕｅｔｏｏｔｈ信号の送信及び受信を制御するように構成される。ＬＴＥ制御回路４２３は、デバイス３００に関するＬＴＥ信号又はその他のセルラー信号の送信及び受信を制御するように構成される。コアロジック４１０内の様々なコンポーネント（簡素化を目的として示されていない）、ＷＬＡＮ制御回路４２１、Ｂｌｕｅｔｏｏｔｈ制御回路４２２、及び／又はＬＴＥ制御信号４２３は、様々な方法で実装することができ、例えば、アナログ回路、デジタルロジック、プロセッサ（例えば、ＣＰＵ、ＤＳＰ、マイクロコントローラ、等）、特定用途向け集積回路（ＡＳＩＣ）、フィールドプログラマブルゲートアレイ（ＦＰＧＡ）、又はそれらのあらゆる組み合わせを使用することを含む。
【００３５】
［００４３］無線デバイス３００は、ＷＬＡＮ制御回路４２１、Ｂｌｕｅｔｏｏｔｈ制御回路４２２、及びＬＴＥ制御回路４２３をアンテナ４３０及び／又は４４０に選択的に結合するためのアンテナ共有ロジック４５０をさらに含む。幾つかの態様に関して、ＷＬＡＮ制御回路４２１、Ｂｌｕｅｔｏｏｔｈ制御回路４２２、又はＬＴＥ制御回路４２３のうちの１つがデータを送信中又は受信中でないときには、アンテナ共有ロジック４５０は、例えば、その他の２つの制御回路のうちの各々が専用アンテナに有効な形で結合されるようにその他の２つの制御回路によって使用するためのアンテナ４３０及び４４０を提供する（以下においてさらに詳細に説明）。さらに、図４では別個のコンポーネントとして示されているが、ＷＬＡＮ制御回路４２１、Ｂｌｕｅｔｏｏｔｈ制御回路４２２、及び／又はＬＴＥ制御回路４２３は、例えば、それらのコンポーネントをチップ上で共有することによって同じ集積回路（ＩＣ）チップ上において実装することができる。その他の態様に関して、コアロジック４１０、トランシーバ制御ロジック４２０、及びアンテナ共有ロジック４５０は、すべて、同じＩＣチップ上において実装することができる。
【００３６】
［００４４］図５は、図４のデバイス３００の一態様である無線デバイス又はユーザ装置（ＵＥ）５００を示す。ＵＥ５００は、トランシーバ制御ロジックを含むことができ、ＷＬＡＮ制御回路４２１と、ＬＴＥ制御回路４２３と、を含む。ＵＥ５００は、ディプレクサ及び／又はスイッチ５３０と、一組のアンテナ５３１乃至５３３と、を含むこともできる。スイッチは、ＬＴＥ及びＷＬＡＮの周波数帯域が近いときに柔軟性を向上させるためにディプレクサの代わりに使用することができる。さらに、スイッチを使用することは、ＷＬＡＮ送信（ＭＩＭＯ）に関するダイバーシティチェーンをＷＬＡＮ受信機と共同で使用するのを可能にする。本開示の一態様においては、ディプレクサ及び／又はスイッチ５３０は、ＷＬＡＮ制御回路４２１とＬＴＥ制御回路４２３との間でのアンテナ５３１乃至５３３の共有を容易にするためにアンテナ共有ロジック（例えば、アンテナ共有ロジック４５０）と共同で実装することができる。アンテナ５３１乃至５３３は、よく知られている。例えば、アンテナ５３３は、ＬＴＥプライマリアンテナであることができ、アンテナ５３２は、ＷＬＡＮ制御回路４２１とＬＴＥ制御回路４２３との間で共有されるように構成されるダイバーシティアンテナであることができ、アンテナ５３１は、ＷＬＡＮプライマリアンテナであることができる。例えば、ＬＴＥ用に構成されたダイバーシティアンテナは、ＬＴＥダイバーシティアンテナによって網羅される周波数範囲（すなわち、ＷＬＡＮ周波数帯域を含む）が大きいことに起因してＷＬＡＮ通信のために使用することができる。本開示の幾つかの態様においては、幾つかのアンテナは、ＬＴＥ通信及びＷＬＡＮ通信の両方に対処するようにサイズを変更することができる。ＷＬＡＮ制御回路４２１は、第１及び第２のアンテナ５３１及び５３２に結合される。ＬＴＥ制御回路４２３は、第２及び第３のアンテナ５３２及び５３３に結合される。
【００３７】
［００４５］第１のアンテナ５３１は、第１のＷＬＡＮ信号ＷＦ１を取り扱い、第３のアンテナ５３３は、第１のＬＴＥ信号ＬＴ１の通信を取り扱う。ディプレクサ及び／又はスイッチ５３０は、アンテナ５３２、及び、ＷＬＡＮ制御回路４２１及びＬＴＥ制御回路４２３に結合される。この態様においては、ディプレクサ及び／又はスイッチ５３０は、ＷＬＡＮ制御回路４２１へ／ＷＬＡＮ制御回路４２１から第２のＷＬＡＮ又はＷｉ−Ｆｉ信号ＷＦ２を通信（すなわち、送信／受信）するための第１のポート５３４と、ＬＴＥ制御回路４２３へ／ＬＴＥ制御回路４２３から第２のＬＴＥ信号ＬＴ２を通信するための第２のポート５３５と、を含む。さらに、ディプレクサ及び／又はスイッチ５３０は、アンテナ５３２へ／アンテナ５３２からＷＬＡＮ信号又はＬＴＥ信号（例えば、ＷＦ２又はＬＴＥ２）を通信するための第３のポート５３６を含む。ディプレクサ及び／又はスイッチ５３０は、ＷＬＡＮ制御回路４２１とＬＴＥ制御回路４２３との間で切り換えることによって“ＬＴＥアンテナ共有”モード又は“ＬＴＥパススルー”モードのいずれかで動作するように構成することができる。パススルーモードでは、第１のアンテナ５３１は、第１のＷＬＡＮ信号ＷＦ１によって表されるＷＬＡＮ信号の通信を取り扱う。第２のアンテナ５３２は、第２のＬＴＥ信号ＬＴ２の通信を取り扱う。従って、パススルーモードでは、ディプレクサ及び／又はスイッチ５３０は、切り換え実装に基づいて第２のＬＴＥ信号ＬＴ２を“パススルー”（ｐａｓｓ  ｔｈｒｏｕｇｈ）する。その結果、ＬＴＥ信号ＬＴ２は、第２のアンテナ５３２を専用アンテナとして使用する。
【００３８】
［００４６］アンテナ共有モードにおいて、ディプレクサ及び／又はスイッチ５３０は、第２のＷＬＡＮ信号ＷＦ２を第２のアンテナ５３２に結合し、それによって、（ＬＴＥ信号ＬＴ２ではなく）ＷＬＡＮ信号ＷＦ２を第２のアンテナ５３２に有効な形でルーティングする。このアンテナ共有モードでは、第１のアンテナ５３１は、第１のＷＬＡＮ信号ＷＦ１の通信を取り扱い、第２のアンテナ５３２は、第２のＷＬＡＮ信号ＷＦ２の通信を取り扱い、第３のアンテナ５３３は、ＬＴ１によって表されるＬＴＥ信号の通信を取り扱う。従って、アンテナ共有モードでは、第１のＷＬＡＮ信号ＷＦ１は、第１のアンテナ５３１を専用アンテナとして使用し、第２のＷＬＡＮ信号ＷＦ２は、第２のアンテナ５３２を専用アンテナとして使用し、第１のＬＴＥ信号ＬＴ１は、第３のアンテナ５３３を専用アンテナとして使用する。このようにして、（通常はＬＴＥ信号ＬＴ２を取り扱う）第２のアンテナ５３２が、ＷＬＡＮ通信スループットを向上させるためにＷＬＡＮ信号ＷＦ２と共有される。従って、ＷＬＡＮ制御回路４２１は、（例えば、よく知られたＷＬＡＮプロトコルに従って）第１及び第２のアンテナ５３１及び５３２によってそれぞれ同時並行して通信される第１及び第２のＷＬＡＮ信号ＷＦ１及びＷＦ２を通信する。
【００３９】
［００４７］概して、ＬＴＥ通信は、共有アンテナ（例えば、ダイバーシティアンテナ）に対する優先権を有することができる。この優先権を有することは、ＷＬＡＮ通信がアクティブである屋内ではなくＷＬＡＮ通信がオフにされる屋外にＵＥが所在するときに特に便利である。しかしながら、優先権の割り当ては、ＬＴＥ及び／又はＷＬＡＮ通信トラフィックに基づいて調整すること又は逆にすることができる。例えば、ＬＴＥ制御回路４２３によって取り扱われるセルラー通信は、（例えば、いずれの呼も受信も送信もしないときに）定期的なアイドル期間を経験することがある。アイドル期間は、不連続的な受信サイクル、例えば、ＬＴＥ通信ギャップ中及び／又はＬＴＥ通信がオフにされているときと関連付けることができる。該アイドル時間中に第２のアンテナ５３２を未使用状態にするのではなく、アンテナ共有ロジック（例えば、アンテナ共有ロジック４５０）は、ディプレクサ及び／又はスイッチ５３０と共同で、ＬＴＥアイドル時間中にＷＬＡＮ信号ＷＦ２を第２のアンテナ５３２に選択的に結合する。この方法により、専用アンテナは、ＬＴＥアイドル時間中にＷＬＡＮ信号ＷＦ１及びＷＦ２の各々に関して有効な形で提供される。従って、ＵＥは、別個のアンテナ５３１及び５３２を介して同時並行してＷＬＡＮ信号の複数のストリームを送信及び／又は受信するようにイネーブルにすることができる。
【００４０】
［００４８］本開示の一態様においては、ＷＬＡＮ通信は、ＬＴＥ通信がアクティブであるときでさえもＬＴＥ通信よりも高い優先権を有することができる。この場合は、ＬＴＥ通信がアクティブモードにあるときでさえもＷＬＡＮ通信のために共有アンテナを割り当てることができる。例えば、ＵＥがＬＴＥカバレッジ内に所在し及びＬＴＥ通信が一定のレートのトラフィック、例えば、ボイス・オーバー・インターネット・プロトコル（ＶＯＩＰ）、の状態にあり、ＷＬＡＮ通信が高データレート通信であるときにＷＬＡＮ通信のために共有アンテナを割り当てることができる。幾つかの態様においては、ＷＬＡＮ通信がＭｉＦｉ通信中に制限的なリンクであるときにＬＴＥ通信よりもＷＬＡＮ通信を優先することができる。例えば、ＭｉＦｉ通信中には、ＬＴＥダウンリンクで受信されるデータは、無線デバイスでＷＬＡＮによっても送信される。この場合は、ＬＴＥダウンリンクレートがＷＬＡＮ送信レートにマッチされるような形でアンテナを割り当てることができる。ＷＬＡＮ送信レートがＬＴＥダウンリンクレートよりも低い（すなわち、ＭｉＦｉ通信中における制限的なリンクである）場合には、ＬＴＥがアクティブモードにあるときでさえもＬＴＥアンテナをＷＬＡＮに割り当てることができる。
【００４１】
［００４９］本開示の一態様においては、スイッチ５３０は、ＬＴＥ通信の信号対雑音比（ＳＩＮＲ）及び／又はＷＬＡＮ通信のデータレートに少なくとも部分的に基づいて共有アンテナの割り当てを優先させるために共有アンテナの割り当てに関するアンテナマネージャと共同で使用することができる。この態様においては、ＬＴＥ通信のＳＩＮＲがＳＩＮＲスレショルドと比較され、ＷＬＡＮ通信のデータレートがデータレートスレショルドと比較される。ＬＴＥ通信のＳＩＮＲがＳＩＮＲスレショルドを上回っているとき及びＷＬＡＮ通信のデータレートがデータレートスレショルドを下回っているときにＷＬＡＮ通信のために共有アンテナを割り当てることができる。代替として、ＷＬＡＮ通信の指定されたデータレートが現在のＷＬＡＮデータレートを上回っている又は幾つかの場合は現在のＷＬＡＮデータレートを下回っているときにＷＬＡＮのために共有アンテナを割り当てることができる。そうでない場合は、ＬＴＥ通信のために共有アンテナを割り当てることができる。ＷＬＡＮ通信のための共有アンテナからＬＴＥ通信に切り換えて戻すと、パケットが失われることがあるが、ＷＬＡＮ通信に関連するパケット損失は、失われたパケットを再送信することによって是正することができる。
【００４２】
［００５０］ある態様においては、ＬＴＥ制御回路４２３は、２本のアンテナ５３２及び５３３に結合された状態が示されているが、代替態様においては、ＬＴＥ制御回路４２３は、単一のアンテナ（例えば、第２のアンテナ５３２）又は３本以上のアンテナに結合することができる。ここにおいて説明されるように、ＬＴＥ又はその他のいずれかのセルラー／ワイドエリアネットワーク（ＷＡＮ）技術のために利用可能な追加のアンテナ又は単一のアンテナは、ＷＬＡＮ技術と共有することができる。例えば、追加のアンテナがＬＴＥとＷＬＡＮとの間で共有される一方でＬＴＥのためのダイバーシティアンテナをＷＬＡＮ通信のために使用することができ又はＬＴＥ専用にすることができる。
【００４３】
［００５１］追加のアンテナをＷＬＡＮ通信のために利用可能であるが、幾つかのＵＥは、単一のＷＬＡＮ受信チェーンを含むことができる。その結果、いずれかの所定の時点でのＷＬＡＮ通信に関しては１本のアンテナのみをＵＥによってサポートすることができる。本開示の幾つかの態様は、切り換えられたアンテナダイバーシティの実装に基づいてＷＬＡＮ通信のための追加の受信チェーンの欠如に対処している。切り換えられたアンテナダイバーシティの実装では、ＷＬＡＮ通信のために追加のアンテナが利用可能であるときには必ず、追加のアンテナが、ＷＬＡＮ通信のために割り当てられた専用のアンテナ又は現在のアンテナと比較される。一態様においては、その比較に基づいて追加のアンテナ又は専用アンテナがＷＬＡＮ通信のために選択される。比較は、アンテナの信号強度、信号対雑音比又はアンテナの性能に基づくことができる。この態様においては、より高い信号強度又はより良い性能を有するアンテナをＷＬＡＮ通信のために選択することができる。
【００４４】
［００５２］ＷＬＡＮアクセスポイントが２本のアンテナのみを有し、ＷＬＡＮ無線デバイスが２本のアンテナのみを有する場合は、アクセスポイントによってサポートされるデータストリームの最大数は２である。この場合は、２本のアンテナのアクセスポイントによってサポートされるデータストリームの数は、ＷＬＡＮ無線デバイスにとって利用可能なアンテナ数の増加に応じて増加しない。従って、無線デバイスに割り当てられたアンテナの数が例えば３本に増加されても、アクセスポイントによってサポートされるデータストリームの数は依然として２つである。しかしながら、この場合は、追加のデータストリームをサポートするのではなく受信機ダイバーシティをサポート又は向上させるために無線デバイスに割り当てられた余分のアンテナを使用することができる。
【００４５】
［００５３］ＷＬＡＮシステムは、例えば、２×２システムを含むことができ、２本の送信アンテナを有する送信機と、２本の受信アンテナを有する受信機と、を含む。その他の態様においては、ＷＬＡＮシステムは、１本の送信アンテナを有する送信機と１本の受信アンテナを有する受信機とを備える１×１システムを含むことができる。１×１システムにおける通信スループットは、１×１ＷＬＡＮ動作によって後続されるアンテナ選択によって又はフルダイバーシティモードで動作するために２つの受信チェーンを使用することによって向上させることができる。さらなる態様においては、ＬＴＥ制御回路４２３は、あらゆるタイプのセルラー通信プロトコル（例えば、ＥＤＧＥ、ＵＭＴＳ、ＷｉＭａｘ、ＥＶ−ＤＯ、等）に関する制御回路を含むこと又は該制御回路に代えることができる。さらに、ＷＬＡＮネットワークは、Ｗｉ−Ｆｉネットワーク、ＧＰＳ、等であることができる。
【００４６】
［００５４］ＵＥとの通信のためのデータレートが好適化されるかどうかは、ＵＥの対応するアクセスポイントが通信中にＵＥのアンテナ能力を知っているかどうかに依存する。例えば、ＷＬＡＮ通信中に、ＵＥは、本開示の幾つかの態様により１本のアンテナ及び２本のアンテナを用いてＷＬＡＮ技術に関連するアクセスポイントと通信する。アクセスポイントは、いずれのＵＥが２本以上のアンテナの能力を有するかを知っていることができる一方で、アクセスポイントは、例えば、ＬＴＥに関連する追加のアンテナがいつＷＬＡＮと共有されるかを知ることができない。
【００４７】
［００５５］従来は、１つ以上のＵＥアンテナ能力の表示を通信セッションの開始時にアクセスポイントに送信することができる。ＵＥアンテナ能力は従来は通信接続の継続時間中には変化しなかったため、ＵＥ能力のさらなる表示は使用されない。この場合は、アクセスポイントは、１本以上の追加のアンテナがいつＷＬＡＮ通信のために割り当てられるかを知ることができない。その結果、アクセスポイントによってＵＥに割り当てられる通信レートは、ＵＥに割り当てられたアンテナ数の増加による影響を受けない。例えば、ＵＥは、ＷＬＡＮに割り当てられたアンテナ数の増加にかかわらずＷＬＡＮ通信レートが同じ状態であるか又はＵＥにおいてＷＬＡＮパケットが復号されるレートを追加のアンテナが増加させるのに応じてＷＬＡＮ通信レートが経時で変化することが予想される暗黙の実装（ｉｍｐｌｉｃｉｔ  ｉｍｐｌｅｍｅｎｔａｔｉｏｎ）を適用することができる。暗黙の実装におけるＷＬＡＮ通信レートの変化に関連する遅延は、数十ミリ秒又は数百ミリ秒以上であることができる。本開示の態様は、追加のアンテナがＷＬＡＮ通信のために割り当てられるときのレート好適化の遅延を短縮するための明示の実装（ｅｘｐｌｉｃｉｔ  ｉｍｐｌｅｍｅｎｔａｔｉｏｎ）を含む。
【００４８】
［００５６］ＵＥアンテナ能力は、通信接続中に変化することがある。その結果、アンテナは、ＵＥ動作中に動的に異なるＲＡＴによって共有することができ、その結果として、異なるＲＡＴ間でアンテナが切り換えられる。例えば、接続開始時には、ユーザ装置は、特定のＲＡＴ（例えば、ＬＴＥ）において２本のアンテナの能力のみ及び異なるＲＡＴ（例えば、ＷＬＡＮ）において１本のアンテナの能力のみを有することができる。従って、ＵＥは、ＵＥがＷＬＡＮ通信のために単一のアンテナの能力を有することを接続開始時にＷＬＡＮに関連するアクセスポイントに示すことができる。しかしながら、通信接続中に、１つ以上の追加のアンテナをＷＬＡＮ通信のためにＵＥが利用できるようになる。例えば、ＬＴＥのために割り当てられたダイバーシティアンテナは、ＷＬＡＮ通信のために共有することができる。この時点で、ＵＥのアンテナ能力がＷＬＡＮ通信のために２本以上のアンテナに変更される。現在は、アクセスポイントは、ＵＥ能力のこの変化を認識する方法を有さない。本開示の態様は、通信接続の開始後に特定のＲＡＴのためにＵＥがアンテナを利用可能になるか又は利用不能になったときにＵＥアンテナ能力の更新を提供する。
【００４９】
［００５７］本開示の一態様は、ＷＬＡＮ通信のために追加のアンテナが割り当てられたときにレート好適化の遅延を短縮するための明示の実装を含む。この態様においては、ＵＥアンテナ能力は、通信接続の開始中に又は開始後に更新することができる。ＵＥアンテナ能力を更新することは、通信接続の開始後にＵＥのアンテナ能力が変化するごとにアクセスポイントに表示を動的に送信することを含む。本開示の一態様においては、ＵＥは、通信接続中に又は通信接続後にＷＬＡＮ通信のために単一のアンテナをサポートするか又は複数のアンテナをサポートするかを動的に示すことができる。従って、ＵＥによるアンテナ能力の表示は動的であり及び／又は通信接続の継続時間中に変化することがある。
【００５０】
［００５８］本開示の一態様においては、ＵＥのアンテナ能力は、ＵＥのチャネル状態情報（ＣＳＩ）を修正することによって更新することができる。ＣＳＩは、アクセスポイントからのサウンディングパケットに応答してアクセスポイントに送信することができる。ＷＬＡＮ通信のために追加のアンテナが利用可能になったときには、ＵＥは、全体的なスケジューリング容量を向上させるためにＣＳＩを修正することができる。ＣＳＩ以外のその他の通信情報を使用することができる。例えば、管理フレーム、動作モード通知フレーム又は再関連付け要求フレームは、とりわけ、向上されたスループットモード又はＵＥがサポートすることができるストリーム数をＵＥが可能であるかどうかを示すことができる。管理フレームは、ＵＥとアクセスポイントとの関連付け又は再関連付け中にＵＥからアクセスポイントに送信することができる。ＵＥが第１のアクセスポイントを初めて見つけたときには、ＵＥを第１のアクセスポイントと関連付けるために関連付け／認証手順が実装される。同様に、ＵＥが（例えば、一時的に）第１のアクセスポイントのカバレッジ外にあるときには、ＵＥとアクセスポイントとの間の関連付けが失われるか又はＵＥが第１のアクセスポイントとの関連付けを解除する。この場合は、ＵＥは、第２のより強力なアクセスポイントと関連づけることができる。第１のアクセスポイントとの関連付けを解除した後は、ＵＥは、第１のアクセスポイントがより強力になったときに第１のアクセスポイントと再度関連付けることができる。この場合は、関連付け又は再関連付けの前にアンテナ能力が変化したときにアンテナ能力の変化をアクセスポイントに知らせるために管理フレームが使用される。その他の態様においては、アクセスポイントとの関連付けを解除せずに動作モード通知フレーム又は再関連付け要求フレームを送信することができる。
【００５１】
［００５９］図６は、幾つかの態様による動的にアンテナを共有する無線デバイスの典型的な動作を描いたフローチャートである。図６において示されるように、無線システム内のデバイスは、少なくともＵＥ、ｅＮｏｄｅＢ、又はアクセスポイントであることができ、ブロック６０２において示されるように、ワイヤレスローカルエリアネットワーク（ＷＬＡＮ）無線アクセス技術（ＲＡＴ）又はセルラーＲＡＴによる使用のために共有アンテナを構成することができ、及び、ブロック６０４において示されるように、ＷＬＡＮ  ＲＡＴ及び／又はセルラーＲＡＴの動作状態に少なくとも部分的に基づいてＷＬＡＮ  ＲＡＴに共有アンテナを割り当てることができる。
【００５２】
［００６０］図７は、幾つかの態様による動的にアンテナを共有する無線デバイスの他の典型的な動作を描いたフローチャートである。図７において示されるように、無線システム内のデバイスは、少なくともＵＥ、ｅＮｏｄｅＢ、又はアクセスポイントであることができ、ブロック７０２において示されるように、ワイヤレスローカルエリアネットワーク（ＷＬＡＮ）無線アクセス技術（ＲＡＴ）又はセルラーＲＡＴによる使用のために共有アンテナを構成することができ、及び、ブロック７０４において示されるように、単一の受信チェーンを有するＵＥの専用ＷＬＡＮアンテナと共有アンテナの強度を比較することができる。さらに、無線システム内のデバイスは、ブロック７０６において示されるように、その比較に少なくとも部分的に基づいてＷＬＡＮ通信のために共有アンテナ又は専用ＷＬＡＮアンテナを割り当てることができる。
【００５３】
［００６１］図８は、動的アンテナ共有システム８１４を採用する装置８００に関するハードウェア実装の例を示した図である。装置８００は、構成モジュール８０２と、割り当てモジュール８０４と、比較モジュール８０６と、を含むことができる。動的アンテナ共有システム８１４は、概してバス８２４によって代表されるバスアーキテクチャを用いて実装することができる。バス８２４は、動的アンテナ共有システム８１４の具体的な用途及び全体的な設計上の制約事項に依存してあらゆる数の相互接続バス及びブリッジを含むことができる。バス８２４は、様々な回路をまとめてリンクし、プロセッサ８２６によって代表される１つ以上のプロセッサ及び／又はハードウェアモジュールと、構成モジュール８０２と、割り当てモジュール８０４と、比較モジュール８０６と、コンピュータによって読み取り可能な媒体８２８と、を含む。バス８２４は、様々なその他の回路、例えば、タイミングソース、周辺装置、電圧調整器、及び電力管理回路、もリンクすることができ、それらは、当業においてよく知られており、従って、これ以上は説明されない。
【００５４】
［００６２］装置は、トランシーバ８２２に結合された動的アンテナ共有システム８１４を含む。トランシーバ８２２は、１本以上のアンテナ８２０に結合される。トランシーバ８２２は、送信媒体を通じて様々なその他の装置と通信するための手段を提供する。動的アンテナ共有システム８１４は、コンピュータによって読み取り可能な媒体８２８に結合されたプロセッサ８２６を含む。プロセッサ８２６は、コンピュータによって読み取り可能な媒体８２８に格納されたソフトウェアの実行を含む一般的処理を担当する。ソフトウェアは、プロセッサ８２６によって実行されたときには、特定の装置に関して上述される様々な機能を実行することを動的アンテナ共有システム８１４に行わせる。コンピュータによって読み取り可能な媒体８２８は、ソフトウェアを実行するときにプロセッサ８２６によって取り扱われるデータを格納するために使用することもできる。動的アンテナ共有システム８１４は、ＷＬＡＮ  ＲＡＴ又はセルラーＲＡＴによる使用のために共有アンテナを構成するための構成モジュール８０２をさらに含む。動的アンテナ共有システム８１４は、ＷＬＡＮ  ＲＡＴ及び／又はセルラーＲＡＴの動作状態に少なくとも部分的に基づいてＷＬＡＮ  ＲＡＴに共有アンテナを割り当てるための割り当てモジュール８０４をさらに含む。動的アンテナ共有システム８１４は、単一の受信チェーンを有するＵＥの専用ＷＬＡＮアンテナと共有アンテナの強度を比較するための比較モジュール８０６をさらに含む。さらに、割り当てモジュール８０４は、その比較に少なくとも部分的に基づいてＷＬＡＮ通信のために共有アンテナ又は専用ＷＬＡＮアンテナを割り当てるように構成することができる。それらのモジュールは、プロセッサ８２６において実行されてコンピュータによって読み取り可能な媒体８２８に常駐する／格納されるソフトウェアモジュール、プロセッサ８２６に結合された１つ以上のハードウェアモジュール、又はそれらの何らかの組み合わせであることができる。動的アンテナ共有システム８１４は、ＵＥ２５０の１つのコンポーネントであることができ及びメモリ２７２及び／又はコントローラ／プロセッサ２７０を含むことができる。
【００５５】
［００６３］一構成においては、無線通信のための装置８００は、構成するための手段と、比較するための手段と、割り当てるための手段と、を含む。上記の手段は、無線デバイス３００／５００及び／又は上記の手段による機能を実行するように構成された装置８００の動的アンテナ共有システム８１４の上記の要素のうちの１つ以上であることができる。上述されるように、動的アンテナ共有システム８１４は、構成モジュール８０２、割り当てモジュール８０４、比較モジュール８０６、メモリ２７２、及び／又はコントローラ／プロセッサ２７０を含むことができる。従って、一構成においては、上記の手段は、上記の手段による機能を実行するように構成された構成モジュール８０２、割り当てモジュール８０４、比較モジュール８０６、メモリ２７２、及び／又はコントローラ／プロセッサ２７０であることができる。
【００５６】
［００６４］上記の態様は、特にＷｉ−Ｆｉ信号、Ｂｌｕｅｔｏｏｔｈ信号、及びＬＴＥ信号の送信に関して説明されているが、図６において示される方法は、Ｗｉ−Ｆｉ信号、Ｂｌｕｅｔｏｏｔｈ信号、及び／又はＬＴＥ信号の受信に関しても同様に適用されることに注目すること。さらに、ＬＴＥ制御回路４２３は、代替で、その他のセルラーデータプロトコル（例えば、ＥＤＧＥ、ＵＭＴＳ、ＷｉＭａｘ、等）に従ってデータを送信及び受信することができる。
【００５７】
［００６５］ここにおける開示と関係させて説明される様々な例示的な論理ブロック、モジュール、回路、及びアルゴリズムのステップは、電子ハードウェア、コンピュータソフトウェア、又はそれらの組み合わせとして実装可能であることを当業者はさらに評価するであろう。ハードウェアとソフトウェアのこの互換性を明確に例示するため、上記においては、様々な例示的なコンポーネント、ブロック、モジュール、回路、及びステップが、それらの機能の観点で一般的に説明されている。該機能がハードウェアとして又はソフトウェアとして実装されるかは、特定の用途及び全体的システムに対する設計上の制約事項に依存する。当業者は、説明されている機能を各々の特定の用途に合わせて様々な形で実装することができるが、該実装決定は、本開示の適用範囲からの逸脱を生じさせるものであるとは解釈されるべきではない。
【００５８】
［００６６］ここにおける開示と関係させて説明される様々な例示的な論理ブロック、モジュール、及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラマブル論理デバイス、ディスクリートゲートロジック、ディスクリートトランジスタロジック、ディスクリートハードウェアコンポーネント、又はそれらのあらゆる組合せ、を用いて実装又は実行することが可能である。汎用プロセッサはマイクロプロセッサであることができるが、代替においては、プロセッサは、従来のどのようなプロセッサ、コントローラ、マイクロコントローラ、又はステートマシンであってもよい。プロセッサは、コンピューティングデバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はあらゆるその他の構成、として実装することも可能である。
【００５９】
［００６７］ここにおける開示と関係させて説明される方法又はアルゴリズムのステップは、直接ハードウェア内において、プロセッサによって実行されるソフトウェアモジュール内において、又はそれらの組み合わせ内において具現化することが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体において常駐することができる。典型的な記憶媒体は、プロセッサが記憶媒体から情報を読み出すこと及び記憶媒体に情報を書き込むことができるようにプロセッサに結合される。代替においては、記憶媒体は、プロセッサと一体化させることができる。プロセッサ及び記憶媒体は、ＡＳＩＣ内に常駐することができる。ＡＳＩＣは、ユーザ端末内に常駐することができる。代替においては、プロセッサ及び記憶媒体は、ユーザ端末内において個別コンポーネントとして常駐することができる。
【００６０】
［００６８］１つ以上の典型的な設計において、説明される機能は、ハードウェア、ソフトウェア、ファームウェア、又はそれらの組み合わせにおいて実装することができる。ソフトウェアにおいて実装される場合は、これらの機能は、コンピュータによって読み取り可能な媒体において１つ以上の命令又はコードとして格納すること又は送信することができる。コンピュータによって読み取り可能な媒体は、コンピュータ記憶媒体と、１つの場所から他へのコンピュータプログラムの転送を容易にするあらゆる媒体を含む通信媒体との両方を含む。記憶媒体は、汎用又は専用コンピュータによってアクセス可能なあらゆる利用可能な媒体であることができる。一例として、及び制限することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、希望されるプログラムコード手段を命令又はデータ構造の形態で搬送又は格納するために用いることができ及び汎用又は専用コンピュータ又は汎用又は専用プロセッサによってアクセス可能なその他の媒体、を備えることができる。さらに、いずれの接続もコンピュータによって読み取り可能な媒体であると適切に呼ばれる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、媒体の定義の中に含まれる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは通常は磁気的にデータを複製し、ｄｉｓｃは、レーザを用いて光学的にデータを複製する。上記の組合せも、コンピュータによって読み取り可能な媒体の適用範囲に含めるべきである。
【００６１】
［００６９］本開示に関する前の説明は、当業者が本開示を製造又は使用することを可能にするために提供される。本開示に対する様々な修正は、当業者にとって容易に明確になるであろう、及びここにおいて定められる一般原理は、本開示の精神又は適用範囲を逸脱せずにその他の変形に対しても適用することができる。以上のように、本開示は、ここにおいて説明される例及び設計に限定されることが意図されるものではなく、ここにおいて開示される原理及び新規の特徴に一致する限りにおいて最も広範な適用範囲が認められるべきである。
【図１】
2016516342.tif 000003
【図２】
2016516342.tif 000004
【図３】
2016516342.tif 000005
【図４】
2016516342.tif 000006
【図５】
2016516342.tif 000007
【図６】
2016516342.tif 000008
【図７】
2016516342.tif 000009
【図８】
2016516342.tif 000010
【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
無線通信方法であって、
セルラー無線アクセス技術（ＲＡＴ）のためにアンテナを構成することと、
前記セルラーＲＡＴがアクティブであり、前記アンテナが前記セルラーＲＡＴのカバレッジエリア内にあるときに前記セルラーＲＡＴのために前記アンテナを優先させることと、
ワイヤレスローカルエリアネットワーク（ＷＬＡＮ）  ＲＡＴ及び／又は前記セルラーＲＡＴの動作状態に少なくとも部分的に基づいて、前記セルラーＲＡＴがアクティブであり、前記アンテナが前記セルラーカバレッジエリアの中にあるときでさえ前記ＷＬＡＮ  ＲＡＴに前記セルラーＲＡＴのために構成された前記アンテナを割り当てることと、を備える、無線通信方法。
【請求項２】
前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記アンテナを割り当てることをさらに備える請求項１に記載の方法。
【請求項３】
ユーザ装置（ＵＥ）のアンテナ能力の変化を識別する前記ＵＥからの表示に少なくとも部分的に基づいて前記ＷＬＡＮ通信のデータレートを調整することをさらに備える請求項１に記載の方法。
【請求項４】
前記表示は、前記ＵＥからのチャネル状態情報又は管理フレーム情報のうちの少なくとも１つに基づく請求項３に記載の方法。
【請求項５】
無線通信方法であって、
セルラー無線アクセス技術（ＲＡＴ）のために第１のアンテナを構成することと、
前記セルラーＲＡＴがアクティブであり、前記アンテナが前記セルラーＲＡＴのカバレッジエリア内にあるときに前記セルラーＲＡＴのために前記第１のアンテナを優先させることと、
単一の受信チェーンを有するユーザ装置（ＵＥ）の専用ワイヤレスローカルエリアネットワーク（ＷＬＡＮ）アンテナと前記第１のアンテナの強度を比較することと、
前記セルラーＲＡＴがアクティブであり、前記第１のアンテナが前記セルラーカバレッジエリアの中にあるときでさえ、前記比較に少なくとも部分的に基づいてＷＬＡＮ通信のために前記セルラーＲＡＴのために構成された前記第１のアンテナ又は前記専用ＷＬＡＮアンテナを割り当てることと、を備える、無線通信方法。
【請求項６】
ユーザ装置（ＵＥ）のアンテナ能力の変化を識別する前記ＵＥからの表示に少なくとも部分的に基づいて前記ＷＬＡＮ通信のデータレートを調整することをさらに備える請求項５に記載の方法。
【請求項７】
前記表示は、前記ＵＥからのチャネル状態情報又は管理フレーム情報のうちの少なくとも１つに基づく請求項６に記載の方法。
【請求項８】
無線通信のための装置であって、
セルラー無線アクセス技術（ＲＡＴ）のためにアンテナを構成するための手段と、
前記セルラーＲＡＴがアクティブであり、前記アンテナが前記セルラーＲＡＴのカバレッジエリア内にあるときに前記セルラーＲＡＴのために前記アンテナを優先させるための手段と、
ワイヤレスローカルエリアネットワーク（ＷＬＡＮ）  ＲＡＴ及び／又は前記セルラーＲＡＴの動作状態に少なくとも部分的に基づいて、前記セルラーＲＡＴがアクティブであり、前記アンテナが前記セルラーカバレッジエリアの中にあるときでさえ前記ＷＬＡＮ  ＲＡＴに前記セルラーＲＡＴのために構成された前記アンテナを割り当てるための手段と、を備える、無線通信のための装置。
【請求項９】
前記割り当てるための手段は、前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記アンテナを割り当てるための手段をさらに備える請求項８に記載の装置。
【請求項１０】
ユーザ装置（ＵＥ）のアンテナ能力の変化を識別する前記ＵＥからの表示に少なくとも部分的に基づいて前記ＷＬＡＮ通信のデータレートを調整するための手段をさらに備える請求項８に記載の装置。
【請求項１１】
前記表示は、前記ＵＥからのチャネル状態情報又は管理フレーム情報のうちの少なくとも１つに基づく請求項１０に記載の装置。
【請求項１２】
無線通信のための装置であって、
セルラー無線アクセス技術（ＲＡＴ）のために第１のアンテナを構成するための手段と、
前記セルラーＲＡＴがアクティブであり、前記アンテナが前記セルラーＲＡＴのカバレッジエリア内にあるときに前記セルラーＲＡＴのために前記アンテナを優先させるための手段と、
単一の受信チェーンを有するユーザ装置（ＵＥ）の専用ワイヤレスローカルエリアネットワーク（ＷＬＡＮ）アンテナと前記第１のアンテナの強度を比較するための手段と、
前記比較するための手段による比較に少なくとも部分的に基づいて、前記セルラーＲＡＴがアクティブであり、前記第１のアンテナが前記セルラーカバレッジエリア内にあるときでさえ、前記セルラーＲＡＴのために構成された前記第１のアンテナ又はＷＬＡＮ通信のための前記専用ＷＬＡＮアンテナを割り当てるための手段と、を備える、無線通信のための装置。
【請求項１３】
ユーザ装置（ＵＥ）のアンテナ能力の変化を識別する前記ＵＥからの表示に少なくとも部分的に基づいて前記ＷＬＡＮ通信のデータレートを調整するための手段をさらに備える請求項１２に記載の装置。
【請求項１４】
前記表示は、前記ＵＥからのチャネル状態情報及び／又は管理フレーム情報に基づく請求項１３に記載の装置。
【請求項１５】
無線通信のための装置であって、
メモリと、
前記メモリに結合され、
セルラー無線アクセス技術（ＲＡＴ）のためにアンテナを構成し、
前記セルラーＲＡＴがアクティブであり、前記アンテナが前記セルラーＲＡＴのカバレッジエリア内にあるときに前記セルラーＲＡＴのために前記アンテナを優先させ、
ワイヤレスローカルエリアネットワーク（ＷＬＡＮ）  ＲＡＴ及び／又は前記セルラーＲＡＴの動作状態に少なくとも部分的に基づいて、前記セルラーＲＡＴがアクティブであり、前記アンテナが前記セルラーカバレッジエリアの中にあるときでさえ前記ＷＬＡＮ  ＲＡＴに前記セルラーＲＡＴのために構成された前記アンテナを割り当てるように構成された少なくとも１つのプロセッサと、を備える、無線通信のための装置。
【請求項１６】
前記少なくとも１つのプロセッサは、前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記アンテナを割り当てるようにさらに構成される請求項１５に記載の装置。
【請求項１７】
前記少なくとも１つのプロセッサは、ユーザ装置（ＵＥ）のアンテナ能力の変化を識別する前記ＵＥからの表示に少なくとも部分的に基づいて前記ＷＬＡＮ通信のデータレートを調整するようにさらに構成される請求項１５に記載の装置。
【請求項１８】
前記表示は、前記ＵＥからのチャネル状態情報又は管理フレーム情報のうちの少なくとも１つに基づく請求項１７に記載の装置。
【請求項１９】
無線通信のための装置であって、
メモリと、
前記メモリに結合され、
セルラー無線アクセス技術（ＲＡＴ）のために第１のアンテナを構成し、
前記セルラーＲＡＴがアクティブであり、前記アンテナが前記セルラーＲＡＴのカバレッジエリア内にあるときに前記セルラーＲＡＴのために前記アンテナを優先させ、
単一の受信チェーンを有するユーザ装置（ＵＥ）の専用ワイヤレスローカルエリアネットワーク（ＷＬＡＮ）アンテナと前記第１のアンテナの強度を比較し、及び
前記セルラーＲＡＴがアクティブであり、前記第１のアンテナが前記セルラーカバレッジエリアの中にあるときでさえ、プロセッサによる比較に少なくとも部分的に基づいてＷＬＡＮ通信のために前記セルラーＲＡＴのために構成された前記第１のアンテナ又は前記専用ＷＬＡＮアンテナを割り当てるように構成された少なくとも１つのプロセッサと、を備える、無線通信のための装置。
【請求項２０】
前記少なくとも１つのプロセッサは、ユーザ装置（ＵＥ）のアンテナ能力の変化を識別する前記ＵＥからの表示に少なくとも部分的に基づいて前記ＷＬＡＮ通信のデータレートを調整するようにさらに構成される請求項１９に記載の装置。
【請求項２１】
前記表示は、前記ＵＥからのチャネル状態情報及び／又は管理フレーム情報に基づく請求項２０に記載の装置。
【請求項２２】
無線ネットワークにおける無線通信のためのコンピュータプログラム製品であって、
非一時的なプログラムコードが記録されているコンピュータによって読み取り可能な媒体であって、前記プログラムコードは、
セルラー無線アクセス技術（ＲＡＴ）のためにアンテナを構成するためのプログラムコードと、
前記セルラーＲＡＴがアクティブであり、前記アンテナが前記セルラーＲＡＴのカバレッジエリア内にあるときに前記セルラーＲＡＴのために前記アンテナを優先させるためのプログラムコードと、
ワイヤレスローカルエリアネットワーク（ＷＬＡＮ）  ＲＡＴ及び／又は前記セルラーＲＡＴの動作状態に少なくとも部分的に基づいて、前記セルラーＲＡＴがアクティブであり、前記アンテナが前記セルラーカバレッジエリアの中にあるときでさえ前記ＷＬＡＮ  ＲＡＴに前記セルラーＲＡＴのために構成された前記アンテナを割り当てるためのプログラムコードと、を備える、コンピュータによって読み取り可能な媒体、を備える、コンピュータプログラム製品。
【請求項２３】
前記プログラムコードは、前記セルラーＲＡＴの信号対雑音比（ＳＩＮＲ）がＳＩＮＲスレショルドを上回るとき及びＷＬＡＮ通信のデータレートがデータレートスレショルドを下回るときに前記ＷＬＡＮ通信のために前記アンテナを割り当てるためのコードをさらに備える請求項２２に記載のコンピュータプログラム製品。
【請求項２４】
前記プログラムコードは、ユーザ装置（ＵＥ）のアンテナ能力の変化を識別する前記ＵＥからの表示に少なくとも部分的に基づいて前記ＷＬＡＮ通信のデータレートを調整するためのコードをさらに備える請求項２２に記載のコンピュータプログラム製品。
【請求項２５】
前記表示は、前記ＵＥからのチャネル状態情報又は管理フレーム情報のうちの少なくとも１つに基づく請求項２４に記載のコンピュータプログラム製品。
【請求項２６】
無線ネットワークにおける無線通信のためのコンピュータプログラム製品であって、
非一時的なプログラムコードが記録されているコンピュータによって読み取り可能な媒体であって、前記プログラムコードは、
セルラー無線アクセス技術（ＲＡＴ）のために第１のアンテナを構成するためのプログラムコードと、
前記セルラーＲＡＴがアクティブであり、前記アンテナが前記セルラーＲＡＴのカバレッジエリア内にあるときに前記セルラーＲＡＴのために前記アンテナを優先させるためのプログラムコードと、
単一の受信チェーンを有するユーザ装置（ＵＥ）の専用ワイヤレスローカルエリアネットワーク（ＷＬＡＮ）アンテナと前記第１のアンテナの強度を比較するためのプログラムコードと、
前記セルラーＲＡＴがアクティブであり、前記アンテナが前記セルラーカバレッジエリアの中にあるときでさえ、前記比較に少なくとも部分的に基づいてＷＬＡＮ通信のために前記セルラーＲＡＴのために構成された前記第１のアンテナ又は前記専用ＷＬＡＮアンテナを割り当てるためのプログラムコードと、を備えるコンピュータによって読み取り可能な媒体、を備える、コンピュータプログラム製品。
【請求項２７】
前記プログラムコードは、ユーザ装置（ＵＥ）のアンテナ能力の変化を識別する前記ＵＥからの表示に少なくとも部分的に基づいて前記ＷＬＡＮ通信のデータレートを調整するためのコードをさらに備える請求項２６に記載のコンピュータプログラム製品。
【請求項２８】
前記表示は、前記ＵＥからのチャネル状態情報及び／又は管理フレーム情報に基づく請求項２７に記載のコンピュータプログラム製品。
【手続補正２】
【補正対象書類名】明細書
【補正対象項目名】００６１
【補正方法】変更
【補正の内容】
【００６１】
［００６９］本開示に関する前の説明は、当業者が本開示を製造又は使用することを可能にするために提供される。本開示に対する様々な修正は、当業者にとって容易に明確になるであろう、及びここにおいて定められる一般原理は、本開示の精神又は適用範囲を逸脱せずにその他の変形に対しても適用することができる。以上のように、本開示は、ここにおいて説明される例及び設計に限定されることが意図されるものではなく、ここにおいて開示される原理及び新規の特徴に一致する限りにおいて最も広範な適用範囲が認められるべきである。
以下に、本願出願の当初の特許請求の範囲に記載された発明を付記する。
［Ｃ１］
無線通信方法であって、
ワイヤレスローカルエリアネットワーク（ＷＬＡＮ）無線アクセス技術（ＲＡＴ）又はセルラーＲＡＴによる使用のために共有アンテナを構成することと、
前記ＷＬＡＮ  ＲＡＴ及び／又は前記セルラーＲＡＴの動作状態に少なくとも部分的に基づいて前記セルラーＲＡＴがアクティブであるときに前記ＷＬＡＮ  ＲＡＴに前記共有チャネルを割り当てることと、を備える、無線通信方法。
［Ｃ２］
前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記共有アンテナを割り当てることをさらに備えるＣ１に記載の方法。
［Ｃ３］
ＵＥのアンテナ能力の変化を識別する前記ＵＥからの表示に少なくとも部分的に基づいて前記ＷＬＡＮ通信のデータレートを調整することをさらに備えるＣ１に記載の方法。
［Ｃ４］
前記表示は、前記ＵＥからのチャネル状態情報又は管理フレーム情報のうちの少なくとも１つに基づくＣ３に記載の方法。
［Ｃ５］
無線通信方法であって、
ワイヤレスローカルエリアネットワーク（ＷＬＡＮ）無線アクセス技術（ＲＡＴ）又はセルラーＲＡＴによる使用のために共有アンテナを構成することと、
単一の受信チェーンを有するＵＥの専用ＷＬＡＮアンテナと前記共有アンテナの強度を比較することと、
前記比較に少なくとも部分的に基づいてＷＬＡＮ通信のために前記共有チャネル又は前記専用ＷＬＡＮアンテナを割り当てることと、を備える、無線通信方法。
［Ｃ６］
ＵＥのアンテナ能力の変化を識別する前記ＵＥからの表示に少なくとも部分的に基づいて前記ＷＬＡＮ通信のデータレートを調整することをさらに備えるＣ５に記載の方法。
［Ｃ７］
前記表示は、前記ＵＥからのチャネル状態情報又は管理フレーム情報のうちの少なくとも１つに基づくＣ６に記載の方法。
［Ｃ８］
無線通信のための装置であって、
ワイヤレスローカルエリアネットワーク（ＷＬＡＮ）無線アクセス技術（ＲＡＴ）又はセルラーＲＡＴによる使用のために共有アンテナを構成するための手段と、
前記ＷＬＡＮ  ＲＡＴ及び／又は前記セルラーＲＡＴの動作状態に少なくとも部分的に基づいて前記セルラーＲＡＴがアクティブであるときに前記ＷＬＡＮ  ＲＡＴに前記共有チャネルを割り当てるための手段と、を備える、無線通信のための装置。
［Ｃ９］
前記割り当てるための手段は、前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記共有アンテナを割り当てるための手段をさらに備えるＣ８に記載の装置。
［Ｃ１０］
ＵＥのアンテナ能力の変化を識別する前記ＵＥからの表示に少なくとも部分的に基づいて前記ＷＬＡＮ通信のデータレートを調整するための手段をさらに備えるＣ８に記載の装置。
［Ｃ１１］
前記表示は、前記ＵＥからのチャネル状態情報又は管理フレーム情報のうちの少なくとも１つに基づくＣ１０に記載の装置。
［Ｃ１２］
無線通信のための装置であって、
ワイヤレスローカルエリアネットワーク（ＷＬＡＮ）無線アクセス技術（ＲＡＴ）又はセルラーＲＡＴによる使用のために共有アンテナを構成するための手段と、
単一の受信チェーンを有するＵＥの専用ＷＬＡＮアンテナと前記共有アンテナの強度を比較するための手段と、
前記比較するための手段による比較に少なくとも部分的に基づいてＷＬＡＮ通信のために前記共有チャネル又は前記専用ＷＬＡＮアンテナを割り当てるための手段と、を備える、無線通信のための装置。
［Ｃ１３］
ＵＥのアンテナ能力の変化を識別する前記ＵＥからの表示に少なくとも部分的に基づいて前記ＷＬＡＮ通信のデータレートを調整するための手段をさらに備えるＣ１２に記載の装置。
［Ｃ１４］
前記表示は、前記ＵＥからのチャネル状態情報及び／又は管理フレーム情報に基づくＣ１３に記載の装置。
［Ｃ１５］
無線通信のための装置であって、
メモリと、
前記メモリに結合され、
ワイヤレスローカルエリアネットワーク（ＷＬＡＮ）無線アクセス技術（ＲＡＴ）又はセルラーＲＡＴによる使用のために共有アンテナを構成し、及び
前記ＷＬＡＮ  ＲＡＴ及び／又は前記セルラーＲＡＴの動作状態に少なくとも部分的に基づいて前記セルラーＲＡＴがアクティブであるときに前記ＷＬＡＮ  ＲＡＴに前記共有チャネルを割り当てるように構成された少なくとも１つのプロセッサと、を備える、無線通信のための装置。
［Ｃ１６］
前記少なくとも１つのプロセッサは、前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記共有アンテナを割り当てるようにさらに構成されるＣ１５に記載の装置。
［Ｃ１７］
前記少なくとも１つのプロセッサは、ＵＥのアンテナ能力の変化を識別する前記ＵＥからの表示に少なくとも部分的に基づいて前記ＷＬＡＮ通信のデータレートを調整するようにさらに構成されるＣ１５に記載の装置。
［Ｃ１８］
前記表示は、前記ＵＥからのチャネル状態情報又は管理フレーム情報のうちの少なくとも１つに基づくＣ１７に記載の装置。
［Ｃ１９］
無線通信のための装置であって、
メモリと、
前記メモリに結合され、
ワイヤレスローカルエリアネットワーク（ＷＬＡＮ）無線アクセス技術（ＲＡＴ）又はセルラーＲＡＴによる使用のために共有アンテナを構成し、
単一の受信チェーンを有するＵＥの専用ＷＬＡＮアンテナと前記共有アンテナの強度を比較し、及び
プロセッサによる比較に少なくとも部分的に基づいてＷＬＡＮ通信のために前記共有チャネル又は前記専用ＷＬＡＮアンテナを割り当てるように構成された少なくとも１つのプロセッサと、を備える、無線通信のための装置。
［Ｃ２０］
前記少なくとも１つのプロセッサは、ＵＥのアンテナ能力の変化を識別する前記ＵＥからの表示に少なくとも部分的に基づいて前記ＷＬＡＮ通信のデータレートを調整するようにさらに構成されるＣ１９に記載の装置。
［Ｃ２１］
前記表示は、前記ＵＥからのチャネル状態情報及び／又は管理フレーム情報に基づくＣ２０に記載の装置。
［Ｃ２２］
無線ネットワークにおける無線通信のためのコンピュータプログラム製品であって、
非一時的なプログラムコードが記録されているコンピュータによって読み取り可能な媒体であって、前記プログラムコードは、
ワイヤレスローカルエリアネットワーク（ＷＬＡＮ）無線アクセス技術（ＲＡＴ）又はセルラーＲＡＴによる使用のために共有アンテナを構成するためのプログラムコードと、
前記ＷＬＡＮ  ＲＡＴ及び／又は前記セルラーＲＡＴの動作状態に少なくとも部分的に基づいて前記セルラーＲＡＴがアクティブであるときに前記ＷＬＡＮ  ＲＡＴに前記共有チャネルを割り当てるためのプログラムコードと、を備える、コンピュータによって読み取り可能な媒体、を備える、コンピュータプログラム製品。
［Ｃ２３］
前記プログラムコードは、前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記共有アンテナを割り当てるためのコードをさらに備えるＣ２２に記載のコンピュータプログラム製品。
［Ｃ２４］
前記プログラムコードは、ＵＥのアンテナ能力の変化を識別する前記ＵＥからの表示に少なくとも部分的に基づいて前記ＷＬＡＮ通信のデータレートを調整するためのコードをさらに備えるＣ２２に記載のコンピュータプログラム製品。
［Ｃ２５］
前記表示は、前記ＵＥからのチャネル状態情報又は管理フレーム情報のうちの少なくとも１つに基づくＣ２４に記載のコンピュータプログラム製品。
［Ｃ２６］
無線ネットワークにおける無線通信のためのコンピュータプログラム製品であって、
非一時的なプログラムコードが記録されているコンピュータによって読み取り可能な媒体であって、前記プログラムコードは、
ワイヤレスローカルエリアネットワーク（ＷＬＡＮ）無線アクセス技術（ＲＡＴ）又はセルラーＲＡＴによる使用のために共有アンテナを構成するためのプログラムコードと、
単一の受信チェーンを有するＵＥの専用ＷＬＡＮアンテナと前記共有アンテナの強度を比較するためのプログラムコードと、
前記比較に少なくとも部分的に基づいてＷＬＡＮ通信のために前記共有アンテナ又は前記専用ＷＬＡＮアンテナを割り当てるためのプログラムコードと、を備えるコンピュータによって読み取り可能な媒体、を備える、コンピュータプログラム製品。
［Ｃ２７］
前記プログラムコードは、ＵＥのアンテナ能力の変化を識別する前記ＵＥからの表示に少なくとも部分的に基づいて前記ＷＬＡＮ通信のデータレートを調整するためのコードをさらに備えるＣ２６に記載のコンピュータプログラム製品。
［Ｃ２８］
前記表示は、前記ＵＥからのチャネル状態情報及び／又は管理フレーム情報に基づくＣ２７に記載のコンピュータプログラム製品。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
無線通信方法であって、
セルラー無線アクセス技術（ＲＡＴ）のためにアンテナを構成することと、
ワイヤレスローカルエリアネットワーク（ＷＬＡＮ）  ＲＡＴ及び／又は前記セルラーＲＡＴの動作状態に少なくとも部分的に基づいて、前記セルラーＲＡＴがアクティブであり、前記アンテナがセルラーカバレッジエリアの中にあるときでさえ前記ＷＬＡＮ  ＲＡＴに前記セルラーＲＡＴのために構成された前記アンテナを割り当てることと、を備える、無線通信方法。
【請求項２】
前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記アンテナを割り当てることをさらに備える請求項１に記載の方法。
【請求項３】
ユーザ装置（ＵＥ）のアンテナ能力の変化を識別する前記ＵＥからの表示に少なくとも部分的に基づいて前記ＷＬＡＮ通信のデータレートを調整することをさらに備える請求項１に記載の方法。
【請求項４】
前記表示は、前記ＵＥからのチャネル状態情報又は管理フレーム情報のうちの少なくとも１つに基づく請求項３に記載の方法。
【請求項５】
無線通信方法であって、
セルラー無線アクセス技術（ＲＡＴ）のために第１のアンテナを構成することと、
単一の受信チェーンを有するユーザ装置（ＵＥ）の専用ワイヤレスローカルエリアネットワーク（ＷＬＡＮ）アンテナと前記第１のアンテナの強度を比較することと、
前記セルラーＲＡＴがアクティブであり、前記第１のアンテナがセルラーカバレッジエリアの中にあるときでさえ、前記比較に少なくとも部分的に基づいてＷＬＡＮ通信のために前記セルラーＲＡＴのために構成された前記第１のアンテナ又は前記専用ＷＬＡＮアンテナを割り当てることと、を備える、無線通信方法。
【請求項６】
ユーザ装置（ＵＥ）のアンテナ能力の変化を識別する前記ＵＥからの表示に少なくとも部分的に基づいて前記ＷＬＡＮ通信のデータレートを調整することをさらに備える請求項５に記載の方法。
【請求項７】
前記表示は、前記ＵＥからのチャネル状態情報又は管理フレーム情報のうちの少なくとも１つに基づく請求項６に記載の方法。
【請求項８】
無線通信のための装置であって、
セルラー無線アクセス技術（ＲＡＴ）のためにアンテナを構成するための手段と、
ワイヤレスローカルエリアネットワーク（ＷＬＡＮ）  ＲＡＴ及び／又は前記セルラーＲＡＴの動作状態に少なくとも部分的に基づいて、前記セルラーＲＡＴがアクティブであり、前記アンテナがセルラーカバレッジエリアの中にあるときでさえ前記ＷＬＡＮ  ＲＡＴに前記セルラーＲＡＴのために構成された前記アンテナを割り当てるための手段と、を備える、無線通信のための装置。
【請求項９】
前記割り当てるための手段は、前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記アンテナを割り当てるための手段をさらに備える請求項８に記載の装置。
【請求項１０】
ユーザ装置（ＵＥ）のアンテナ能力の変化を識別する前記ＵＥからの表示に少なくとも部分的に基づいて前記ＷＬＡＮ通信のデータレートを調整するための手段をさらに備える請求項８に記載の装置。
【請求項１１】
前記表示は、前記ＵＥからのチャネル状態情報又は管理フレーム情報のうちの少なくとも１つに基づく請求項１０に記載の装置。
【請求項１２】
無線通信のための装置であって、
セルラー無線アクセス技術（ＲＡＴ）のために第１のアンテナを構成するための手段と、
単一の受信チェーンを有するユーザ装置（ＵＥ）の専用ワイヤレスローカルエリアネットワーク（ＷＬＡＮ）アンテナと前記第１のアンテナの強度を比較するための手段と、
前記比較するための手段による比較に少なくとも部分的に基づいて、前記セルラーＲＡＴがアクティブであり、前記第１のアンテナがセルラーカバレッジエリア内にあるときでさえ、前記セルラーＲＡＴのために構成された前記第１のアンテナ又はＷＬＡＮ通信のための前記専用ＷＬＡＮアンテナを割り当てるための手段と、を備える、無線通信のための装置。
【請求項１３】
ユーザ装置（ＵＥ）のアンテナ能力の変化を識別する前記ＵＥからの表示に少なくとも部分的に基づいて前記ＷＬＡＮ通信のデータレートを調整するための手段をさらに備える請求項１２に記載の装置。
【請求項１４】
前記表示は、前記ＵＥからのチャネル状態情報及び／又は管理フレーム情報に基づく請求項１３に記載の装置。
【請求項１５】
無線通信のための装置であって、
メモリと、
前記メモリに結合され、
セルラー無線アクセス技術（ＲＡＴ）のためにアンテナを構成し、
ワイヤレスローカルエリアネットワーク（ＷＬＡＮ）  ＲＡＴ及び／又は前記セルラーＲＡＴの動作状態に少なくとも部分的に基づいて、前記セルラーＲＡＴがアクティブであり、前記アンテナがセルラーカバレッジエリアの中にあるときでさえ前記ＷＬＡＮ  ＲＡＴに前記セルラーＲＡＴのために構成された前記アンテナを割り当てるように構成された少なくとも１つのプロセッサと、を備える、無線通信のための装置。
【請求項１６】
前記少なくとも１つのプロセッサは、前記セルラーＲＡＴの信号対雑音比（ＳＩＮＲ）がＳＩＮＲスレショルドを上回るとき及びＷＬＡＮ通信のデータレートがデータレートスレショルドを下回るときにＷＬＡＮ通信のために前記アンテナを割り当てるようにさらに構成される請求項１５に記載の装置。
【請求項１７】
前記少なくとも１つのプロセッサは、ユーザ装置（ＵＥ）のアンテナ能力の変化を識別する前記ＵＥからの表示に少なくとも部分的に基づいて前記ＷＬＡＮ通信のデータレートを調整するようにさらに構成される請求項１５に記載の装置。
【請求項１８】
前記表示は、前記ＵＥからのチャネル状態情報又は管理フレーム情報のうちの少なくとも１つに基づく請求項１７に記載の装置。
【請求項１９】
無線通信のための装置であって、
メモリと、
前記メモリに結合され、
セルラー無線アクセス技術（ＲＡＴ）のために第１のアンテナを構成し、
単一の受信チェーンを有するユーザ装置（ＵＥ）の専用ワイヤレスローカルエリアネットワーク（ＷＬＡＮ）アンテナと前記第１のアンテナの強度を比較し、及び
前記セルラーＲＡＴがアクティブであり、前記第１のアンテナがセルラーカバレッジエリアの中にあるときでさえ、プロセッサによる比較に少なくとも部分的に基づいてＷＬＡＮ通信のために前記セルラーＲＡＴのために構成された前記第１のアンテナ又は前記専用ＷＬＡＮアンテナを割り当てるように構成された少なくとも１つのプロセッサと、を備える、無線通信のための装置。
【請求項２０】
前記少なくとも１つのプロセッサは、ユーザ装置（ＵＥ）のアンテナ能力の変化を識別する前記ＵＥからの表示に少なくとも部分的に基づいて前記ＷＬＡＮ通信のデータレートを調整するようにさらに構成される請求項１９に記載の装置。
【請求項２１】
前記表示は、前記ＵＥからのチャネル状態情報及び／又は管理フレーム情報に基づく請求項２０に記載の装置。
【請求項２２】
無線ネットワークにおける無線通信のためのコンピュータプログラム製品であって、
非一時的なプログラムコードが記録されているコンピュータによって読み取り可能な媒体であって、前記プログラムコードは、
セルラー無線アクセス技術（ＲＡＴ）のためにアンテナを構成するためのプログラムコードと、
ワイヤレスローカルエリアネットワーク（ＷＬＡＮ）  ＲＡＴ及び／又は前記セルラーＲＡＴの動作状態に少なくとも部分的に基づいて、前記セルラーＲＡＴがアクティブであり、前記アンテナがセルラーカバレッジエリアの中にあるときでさえ前記ＷＬＡＮ  ＲＡＴに前記セルラーＲＡＴのために構成された前記アンテナを割り当てるためのプログラムコードと、を備える、コンピュータによって読み取り可能な媒体、を備える、コンピュータプログラム製品。
【請求項２３】
前記プログラムコードは、前記セルラーＲＡＴの信号対雑音比（ＳＩＮＲ）がＳＩＮＲスレショルドを上回るとき及びＷＬＡＮ通信のデータレートがデータレートスレショルドを下回るときに前記ＷＬＡＮ通信のために前記アンテナを割り当てるためのコードをさらに備える請求項２２に記載のコンピュータプログラム製品。
【請求項２４】
前記プログラムコードは、ユーザ装置（ＵＥ）のアンテナ能力の変化を識別する前記ＵＥからの表示に少なくとも部分的に基づいて前記ＷＬＡＮ通信のデータレートを調整するためのコードをさらに備える請求項２２に記載のコンピュータプログラム製品。
【請求項２５】
前記表示は、前記ＵＥからのチャネル状態情報又は管理フレーム情報のうちの少なくとも１つに基づく請求項２４に記載のコンピュータプログラム製品。
【請求項２６】
無線ネットワークにおける無線通信のためのコンピュータプログラム製品であって、
非一時的なプログラムコードが記録されているコンピュータによって読み取り可能な媒体であって、前記プログラムコードは、
セルラー無線アクセス技術（ＲＡＴ）のために第１のアンテナを構成するためのプログラムコードと、
単一の受信チェーンを有するユーザ装置（ＵＥ）の専用ワイヤレスローカルエリアネットワーク（ＷＬＡＮ）アンテナと前記第１のアンテナの強度を比較するためのプログラムコードと、
前記セルラーＲＡＴがアクティブであり、前記アンテナがセルラーカバレッジエリアの中にあるときでさえ、前記比較に少なくとも部分的に基づいてＷＬＡＮ通信のために前記セルラーＲＡＴのために構成された前記第１のアンテナ又は前記専用ＷＬＡＮアンテナを割り当てるためのプログラムコードと、を備えるコンピュータによって読み取り可能な媒体、を備える、コンピュータプログラム製品。
【請求項２７】
前記プログラムコードは、ユーザ装置（ＵＥ）のアンテナ能力の変化を識別する前記ＵＥからの表示に少なくとも部分的に基づいて前記ＷＬＡＮ通信のデータレートを調整するためのコードをさらに備える請求項２６に記載のコンピュータプログラム製品。
【請求項２８】
前記表示は、前記ＵＥからのチャネル状態情報及び／又は管理フレーム情報に基づく請求項２７に記載のコンピュータプログラム製品。
【国際調査報告】
2016516342.tif 000011
2016516342.tif 000012
2016516342.tif 000013
2016516342.tif 000014
2016516342.tif 000015